(57)【要約】      （修正有）【課題】簡易な還元水素水製造装置であっても長期溶存水素が可能で、容器充填時に特殊な装置が無くても高濃度水素水を短時間で製造可能なる装置を提供する。【解決手段】還元水素水製造装置は、原料水を原水ポンプでプレフィルター１０に供給し、原水タンク６へ貯水する。貯水された原料水を循環及び加圧水ポンプ９により複数の反応ハウジング１へ供給され、反応ハウジング内にセットされた触媒カートリッジ２に充填された水和反応触媒３に接触流通して、原料水タンク６へと循環される。又、循環パイプの途中に圧力スイッチ４及び電磁バルブ７が設けられ制御ボックス８とから構成される。【選択図】図１
0003177986.tif 000002
【実用新案登録請求の範囲】
【請求項１】
水和反応によるリボン状もしくは粒状マグネシウム、リボン状もしくは粒状亜鉛水素発生金属と、遠赤外線発生する天然鉱石及び、アルミナ・シリカを含有するセラミックスを混合し、カートリッジタンクに充填する。そのカートリッジタンクを反応ハウジングタンクに内包し、原料水を高圧ポンプで設定圧まで加圧注入し、反応時間まで加圧滞留及び循環させる手段とを備えたことを特徴とする超還元水素水製造装置。さらに
【請求項２】
前記の製造装置内に水和反応剤として、マグネシウム・カルシウム・亜鉛・シリカ・鉄・アルミ・遠赤外線発生天然鉱石のいずれか１種類以上、または酸化物・混合状態で専用カートリッジに充填し、反応ハウジングタンク内に設置されることを特徴とする請求項１に記載の超還元水素水製造装置。
【請求項３】
前記専用反応ハウジングタンクは複数直列または、並列に設けられ、水連結配管によって接続されることを特徴とする請求項１または２に記載の超還元水素水製造装置。
【請求項４】
前記の原水タンク内の原料水は加圧ポンプで、複数のハウジングタンク及び、カートリッジタンクに充填された水和触媒を接触流通循環し、再び原水タンクへ戻る配管ラインと、完成還元水素水を容器に充填するラインとの切り替え装置を設ける事を特徴とする請求項１または２または３に記載の超還元水素水製造装置。
【考案の詳細な説明】
【技術分野】
【０００１】  本考案は、動物を含めすべての酸化された生物細胞を還元し、活性水素により余剰活性酸素を無害な水へ変換し、正常細胞維持と再生を可能にする、高濃度活性水素水を製造することが出来る超還元水素水製造システム。
【背景技術】
【０００２】  ミネラル水に水素を放出して高濃度に溶存させるため、原料水を触媒水和反応で発生する水素を効率よく水に溶存可能な、水素水製造装置。【０００３】  従来の水素水製造装置は、水素ガスを原料水にバブリングし、水素ガスを微細気泡の状態で分散させる方法で構成されている。
【考案の開示】
【考案が解決しようとする課題】
【０００４】  近年あっては、還元水素水として、活性酸素を中和する水として脚光を浴びている。しかし、長期間溶存水素を保持することが困難である。製造後いかに溶存水素を長く保有することが課題として求められている。【０００５】  背景技術では、水素バブリング及び、水和反応による水素ガス発生には、常温・常圧・滞留接触で発生ガスの水中溶存率を高めるようにしているが、水中からの流出水素ガスが時間に大きく左右される。製造直後容器に充填しても充填時に水素が流出しやすく十分な溶存水素が得られず、長期溶存水素水ができないという課題があった。【０００６】  本考案は上記従来の課題に鑑みて創案されたものであって、簡易な還元水素水製造装置であっても、長期溶存水素が可能で、容器充填時に特殊な装置が無くても高濃度水素水を短時間で製造可能なる装置を、提供することを目的とする。
【課題を解決するための手段】
【０００７】  本考案にかかる高濃度溶存水素水製造装置は、水和反応用触媒入りハウジングを多数連結し、加圧循環水ポンプにより加圧滞留及び循環することにより、発生する水素を高濃度に溶存させることを特徴とする。【０００８】  前記高濃度溶存水素水装置にタイマー及び電磁弁が設けられ、原料水を設定時間で循環・停止を繰り返し、加圧水ポンプ運転停止をタイマーの信号で任意間欠パルスで行うようにしたことを特徴とする。【０００９】  前記高濃度溶存水素水装置において、原料水は軟水の領域でイオウ・カルシウム・カリウム・鉄・アルミ・マグネシウム・亜鉛・ナトリウム等各種ミネラル及び、炭酸水素イオンを含み、水和反応で発生する発生直後の活性水素と容易反応しやすい天然水を使用することを特徴とする。
【考案の効果】
【０００１０】  本考案にかかる水素水製造装置にあっては、原料水中の溶存水素が極めて高濃度で長期間安定させることができ、特に活性酸素を無害な水に中和することができる。
【考案を実施するための最良の形態】
【０００１１】  以下に、本考案にかかる超還元水素水製造装置の好適な実施形態を、添付図を参照して詳細に説明する。実施形態にかかる還元水素水製造装置は基本的には図１に示すように、原料水を原水ポンプでプレフィルター１０に供給し、原水タンク６へ貯水する。貯水された原料水を循環及び加圧水ポンプ９により複数の反応ハウジング１へ供給され、反応ハウジング内にセットされた触媒カートリッジ２に充填された水和反応触媒３に接触流通して、原料水タンク６へと循環される。又、循環パイプの途中に圧力スイッチ４及び電磁バルブ７が設けられ制御ボックス８とから構成される。【０００１２】  原料水は複数の反応ハウジングへポンプにより、設定の圧力に加圧充填され触媒反応で発生される活性水素を、ガス発生圧力とポンプ圧との相乗効果により高濃度安定溶存させることが可能である。又、タイマー設定により循環時間を任意に設定し更に、効率よく水素を溶存できる。【０００１３】図１に示すように、実施形態にかかる超還元水素水の製造装置では、原料水として、ミネラル水・天然水・温泉水・浄化水道水が供給される。
【図面の簡単な説明】
【００１４】
【図１】本考案にかかる高濃度還元水素水製造装置の実施形態を示す図である。
【符号の説明】
【００１５】  １  水和反応ハウジング
２  反応触媒入りカートリッジ
３  触媒材
４  圧力スイッチ
５  原水入力パイプ
６  原水タンク
７  電磁バルブ
８  制御ボックス
９  加圧水ポンプ
１０  プレフィルター
【図１】
0003177986.tif 000003
【手続補正書】
【提出日】平成24年5月7日(2012.5.7)
【手続補正１】
【補正対象書類名】実用新案登録請求の範囲
【補正対象項目名】全文
【補正方法】変更
【補正の内容】
【実用新案登録請求の範囲】
【請求項１】
リボン状もしくは粒状マグネシウム、リボン状もしくは粒状亜鉛の水和反応による水素発生金属及び、遠赤外線を常時発生する天然鉱石及び、アルミナ・シリカを含有するセラミックスの混合物をカートリッジタンクに充填し、そのカートリッジタンクを更に、反応ハウジングタンクに内包し、原料水を高圧ポンプ圧力及び、発生水素圧力により設定圧まで反応ハウジングタンクに加圧注入し、タイマーおよび、電磁バルブにより、反応設定時間まで加圧滞留及び循環させる手段を備えたことを特徴とする超還元水素水製造装置。
【請求項２】
前記のカートリッジタンク内には水和反応剤として、マグネシウム・カルシウム・亜鉛・シリカ・鉄・アルミナ・遠赤外線発生天然鉱石のいずれか１種類以上もしくは酸化物混合状態で、原料水が流通するカートリッジに充填し、更に反応ハウジングタンク内に設置されることを特徴とする請求項１に記載の超還元水素水製造装置。
【請求項３】
前記反応ハウジングタンクは複数直列または、並列に設けられ、原料水連結配管によって接続されることを特徴とする請求項１または２に記載の超還元水素水製造装置。
【請求項４】
前記の原水タンク内の原料水は加圧循環ポンプで、複数のカートリッジタンクに充填された水和触媒とハウジングタンクを接触流通循環し、再び原水タンクへ戻る配管ラインと、製造された超還元水素水を製品容器に充填するラインとの自動もしくは手動切り替え装置を設ける事を特徴とする請求項１または２または３に記載の超還元水素水製造装置。